(57)【要約】【課題】燃料の分配装置として通常市販されている電子制御弁を使用でき、安価な燃焼エネルギー駆動式の打ち込み装置を得る。【解決手段】固定素子を打ち込むため、燃料のための燃焼室および燃料を収納する燃料容器２０のための燃料容器収容部１６と、燃料容器２０のために設けた接続素子１４であって、燃料導管１５を介して燃焼室１２に接続可能とした該接続素子１４と、接続素子１４から燃焼室１２への燃料の流量を制御するための分配装置１３とを備えた燃焼力エネルギー駆動式の打ち込み装置において、分配装置１３を緩衝装置３０により緩衝するよう配置する。また、緩衝装置３０の緩衝素子３１は、緩衝ホイルにより形成し、分配装置１３と、この分配装置のための支持素子３２との間に配置する。【選択図】図１
2008254169.tif 000002
【特許請求の範囲】
【請求項１】
固定素子を打ち込むため
燃料のための燃焼室および燃料を収納する燃料容器（２０）のための燃料容器収容部（１６）と、
燃料容器（２０）のために設けた接続素子（１４）であって、燃料導管（１５）を介して前記燃焼室（１２）に接続可能とした該接続素子（１４）と、
前記接続素子（１４）から前記燃焼室（１２）への燃料の流量を制御するための分配装置（１３）と
を備えた燃焼力エネルギー駆動式の打ち込み装置において、
前記分配装置（１３）を緩衝装置（３０）により緩衝するよう配置したことを特徴とする燃焼力エネルギー駆動式の打込み装置。
【請求項２】
前記緩衝装置（３０）に、少なくとも１個の緩衝素子（３１）を備え、この緩衝素子（３１）を、前記分配装置（１３）と、この分配装置（１３）のために設けた少なくとも１個の支持素子（３２）との間に配置した請求項１に記載する燃焼力エネルギー駆動式の打ち込み装置。
【請求項３】
前記緩衝素子（３１）を、緩衝ホイルにより形成した請求項１に記載する燃焼力エネルギー駆動式の打ち込み装置。
【請求項４】
前記緩衝素子（３１）を、複数個所の前記緩衝ホイルにより構成した請求項１に記載する燃焼力エネルギー駆動式の打ち込み装置。
【請求項５】
前記接続素子（１４）を、少なくとも部分的に可撓性を有する燃料導管（１５）により分配装置（１３）に接続した請求項１または２に記載する燃焼力エネルギー駆動式の打ち込み装置。
【請求項６】
前記可撓性の燃料導管（１５）を、弾性変形可能な金属導管で構成した請求項１または２に記載する燃焼力エネルギー駆動式の打ち込み装置。
【発明の詳細な説明】
【技術分野】
【０００１】
本発明は、請求項１の前半に記載する燃焼力エネルギー駆動式の打ち込み装置（鋲打ち機）に関する。このような打ち込み装置は、液体燃料またはガス燃料により駆動し、この燃料は、打ち込み装置に交換可能に配置した燃料容器に貯蔵する。
【背景技術】
【０００２】
特許文献１（米国特許第６５２３８６０号）は、打ち込み装置のハウジング内に配置した分配装置であって、燃料のための分配弁である該分配装置と、燃料容器のための収容空間とを備えた打ち込み装置を記載している。この燃料容器の弁ヘッドにはアダプタを差し込むことができ、このアダプタは収容空間に配置した栓と係合するため、燃料容器を収容空間内において開栓可能な状態で固定し、分配弁との燃料接続を保持することができる。
【０００３】
この打ち込み装置の欠点は、打ち込み装置の作動時に、反動衝撃が分配弁に伝達される点にある。この反動衝撃は、特に市販されている通常の電子制御弁を用いる場合に、その機能と寿命を損なう。
【特許文献１】米国特許第６５２３８６０号明細書
【発明の開示】
【発明が解決しようとする課題】
【０００４】
したがって、本発明の課題は、上述した従来技術の欠点を回避し、通常に市販されている電子制御弁がダメージを受けることなく使用できる、上述の種類の打ち込み装置を得ることにある。
【課題を解決するための手段】
【０００５】
この課題は、請求項１の後半に記載する特徴を有し、以下にその詳細を記載する打ち込み装置によって達成される。
【０００６】
本発明によれば、分配装置を緩衝するよう配置するために、緩衝装置を打込み装置に設ける。
【発明の効果】
【０００７】
この緩衝装置は、打込み作業中に発生する衝撃および加速を緩衝するため、打ち込み装置内において、電子制御可能な分配弁などのような分配装置が衝撃および加速に直接晒されず、また、これらの分配装置への影響を最小限に喰いとめることができる。これらの特徴により、分配装置の作動中の故障が回避され、普通に市販され、また安価である電子制御弁、例えば空気圧制御パイロット弁などの使用が可能となる。
【発明を実施するための最良の形態】
【０００８】
好適には、緩衝装置に少なくとも１個の緩衝素子を備え、この緩衝素子を、分配装置と、分配装置のために設けた少なくとも１個支持素子、例えばハウジングに固定したブリッジまたは張り出し部との間に配置する。このとき緩衝素子は、高い緩衝作用を持つエラストマー体により構成することができる。このように配置することで、既存の構造体内に緩衝装置をはめこむことができる。
【０００９】
好適には緩衝素子を、安価に購入できる素子として標準的な緩衝ホイルにより形成する。代案として、緩衝素子は発泡材料部材などとして構成することもできる。
【００１０】
好適には、緩衝素子は複数箇所の緩衝ホイルにより構成する。この構成により、緩衝ホイルを設ける箇所の数を変えることで、打込み装置のクラスに応じた緩衝ができるようになる。使用する緩衝ホイルの種類や、目的とする緩衝の種類によっては、緩衝ホイルを１箇所のみに設けることも好適となりうる。
【００１１】
好適には、接続素子を、少なくとも部分的に可撓性のある燃料導管により分配装置に接続する。こうすることで、分配装置は燃料導管に、固定的にではなく、移動可能に取り付けることができるので、緩衝するに好適である。
【００１２】
好適には、この可撓性のある燃料導管を、特に圧力に強く、液体燃料に極めて適した、弾性変形可能な金属導管で構成する。
【実施例】
【００１３】
図１は、駆動媒体として液体またはガス状の燃料で動作する本発明による手持ち打ち込み装置の実施例を一部縦断面で示す。この手持ち打ち込み装置１０は、燃料容器収容部１６内に燃料容器２０を有する。
【００１４】
この打ち込み装置１０の有するハウジング１１には、グリップ１７を一体に形成し、このグリップ１７には作動スイッチ１８を備え、この作動スイッチ１８により打ち込み作業を作動させることができる。さらに打ち込み装置１０には、空気と燃料の混合物を燃焼させるための燃焼室１２および、ガイド２４内に移動可能にガイドした打込みピストン２１により構成する打込み機構を備える。打込み装置１０の燃料容器収容部１６内には、燃料容器２０を交換可能に配置し、図示の実施例においては、この燃料容器２０を、ガス缶として構成する。燃料容器２０は、図中では、カバー素子２５により閉鎖する開口から、燃料容器収容部１６にはめ込むことができ、容器は、一方の端部に、弁手段２２の弁開放部材２３、例えば弁ステムを備える。この弁開放部材２３により、燃料は燃料容器２０から流出することができる。さらに燃料容器収容部１６内には、接続素子１４、例えば接続短管を配置し、図示の実施例では、この接続素子１４を燃料容器２０の弁開放部材２３に連結する。
【００１５】
接続素子１４は、ばね素子３４を介して、カバー素子２５方向に弾性的に押圧する。こうすることで、接続素子１４は、燃料容器収容部１６内の燃料容器２０において、弁開放部材２３を押圧するので、接続素子１４と燃料容器２０とが、より密接に、確実に接続される。接続素子１４と、燃料導管１５に介在させた分配装置１３との間の相対運動を吸収するために、燃料導管１５を、少なくとも部分的に可撓性があるものとして構成する。図示の実施例において、接続素子１４と分配装置１３との間の燃料導管１５を、全体的に弾性変形可能な金属導管として構成する。
【００１６】
電子制御可能な分配弁として構成した分配装置１３は、緩衝素子３１を介して、ハウジングの張り出しやリブ、ブリッジであるハウジングに固定した支持素子３２に支持する。このとき緩衝素子３１は、例えば、スリーブ体をなすよう複数個所に筒状に巻き付けた緩衝ホイルにより構成する。この緩衝素子３１は、勿論、単に一箇所における緩衝ホイルにより構成することもできる。また、緩衝ホイルの替わりに、発泡材料素子を緩衝素子として利用することもできる。
【図面の簡単な説明】
【００１７】
【図１】本発明打ち込み装置の一部縦断面とする側面図である。
【符号の説明】
【００１８】
１０  打ち込み装置
１１  ハウジング
１２  燃焼室
１３  分配装置
１４  接続素子
１５  燃料導管
１６  燃料容器収容部
１７  グリップ
１８  作動スイッチ
２０  燃料容器
２１  打込みピストン
２２  弁手段
２３  弁開放部材
２４  ガイド
２５  カバー素子
３０  緩衝装置
３１  緩衝素子
３２  支持素子
３４  ばね素子
【図１】
2008254169.tif 000003